(57)【要約】  本願の実施例はデータ伝送方法、送信側装置及び受信側装置を提供し、サービス品質データフロー（ＱｏＳｆｌｏｗ）を複数のデータ無線ベアラ（ＤＲＢ）の間に切り替えるときのデータ伝送の信頼性を向上させる。該方法は、送信側装置が第１サービス品質データフローに対応するＤＲＢを第１ＤＲＢから第２ＤＲＢへ切り替えることと、該送信側装置が該第２ＤＲＢを介して受信側装置へ該第１サービス品質データフローにおける未送信のデータパケットを送信することと、を含む。
2020533820.tif 000002
【特許請求の範囲】
【請求項１】
データ伝送方法であって、
送信側装置が第１サービス品質データフローに対応するデータ無線ベアラ（ＤＲＢ）を第１ＤＲＢから第２ＤＲＢへ切り替えることと、
前記送信側装置が前記第２ＤＲＢを介して受信側装置へ前記第１サービス品質データフローにおける未送信のデータパケットを送信することと、を含むことを特徴とするデータ伝送方法。
【請求項２】
前記送信側装置が前記第１サービス品質データフローに対応するＤＲＢを前記第１ＤＲＢから前記第２ＤＲＢへ切り替える前に、前記方法は、更に、
前記送信側装置が前記第１サービス品質データフローに対応するＤＲＢを前記第１ＤＲＢから前記第２ＤＲＢへ切り替えることを示すための指示情報を受信することを含むことを特徴とする請求項１に記載の方法。
【請求項３】
前記指示情報が無線リソース制御（ＲＲＣ）シグナリング又は反射型サービス品質（ＲＱｏＳ）であり、前記ＲＱｏＳが前記第２ＤＲＢにおいて受信されたデータパケットの識別子（ＩＤ）によって決定されることを特徴とする請求項２に記載の方法。
【請求項４】
前記送信側装置が前記第１サービス品質データフローに対応するＤＲＢを前記第１ＤＲＢから前記第２ＤＲＢへ切り替える前に、前記方法は、更に、
前記送信側装置が前記第１ＤＲＢを介して前記第１サービス品質データフローにおける少なくとも１つのデータパケットを送信することを含むことを特徴とする請求項１〜３のいずれか１項に記載の方法。
【請求項５】
前記送信側装置が前記第１ＤＲＢを介して前記第１サービス品質データフローにおける前記少なくとも１つのデータパケットを送信する前に、前記方法は、更に、
前記送信側装置が前記少なくとも１つのデータパケットのうちの最後のデータパケットのヘッダーに、前記最後のデータパケットが前記送信側装置の前記第１ＤＲＢを介して送信した最後のデータパケットであることを示すための第１識別情報を追加することを含むことを特徴とする請求項４に記載の方法。
【請求項６】
前記方法は、更に、
前記送信側装置が前記少なくとも１つのデータパケットを送信した後、第１識別パケットを送信し、前記第１識別パケットは前記第１識別パケットの前の一つのデータパケットが前記第１ＤＲＢに対応する最後のデータパケットであることを示すことを含むことを特徴とする請求項４に記載の方法。
【請求項７】
前記送信側装置が前記第２ＤＲＢを介して前記受信側装置へ前記未送信のデータパケットを送信する前に、前記方法は、更に、
前記送信側装置が前記未送信のデータパケットのうちの１番目のデータパケットのヘッダーに、前記送信側装置が前記１番目のデータパケットを送信する前に前記第１ＤＲＢを介して前記第１サービス品質データフローにおけるデータパケットを送信することを示すための第２識別情報を追加することを含むことを特徴とする請求項１〜６のいずれか１項に記載の方法。
【請求項８】
前記送信側装置が前記第２ＤＲＢを介して前記受信側装置へ前記未送信のデータパケットを送信する前に、前記方法は、更に、
前記送信側装置が前記第２ＤＲＢを介して、第２識別パケットを前記受信側装置に送信し、前記第２識別パケットは前記送信側装置が前記第２識別パケットを送信する前に前記第１ＤＲＢを介して前記第１サービス品質データフローにおけるデータパケットを送信することを示すことを含むことを特徴とする請求項１〜６のいずれか１項に記載の方法。
【請求項９】
前記第２ＤＲＢにおいて伝送されるデータパケットのサービス品質クラス識別子（ＱＣＩ）が前記第１ＤＲＢにおいて伝送されるデータパケットのＱＣＩより優れることを特徴とする請求項１〜８のいずれか１項に記載の方法。
【請求項１０】
データ伝送方法であって、
受信側装置が前記第１サービス品質データフローに対応するデータ無線ベアラ（ＤＲＢ）を第１ＤＲＢから第２ＤＲＢへ切り替えることを決定することと、
前記受信側装置が送信側装置の第２ＤＲＢを介して送信した第１サービス品質データフローにおける複数のデータパケットを受信することと、
前記受信側装置が前記複数のデータパケットをキャッシュすることと、を含むことを特徴とするデータ伝送方法。
【請求項１１】
前記受信側装置が前記第１サービス品質データフローに対応するＤＲＢを前記第１ＤＲＢから前記第２ＤＲＢへ切り替えることを決定する前に、前記方法は、更に、
前記受信側装置が前記第１サービス品質データフローに対応するＤＲＢを前記第１ＤＲＢから前記第２ＤＲＢへ切り替えることを示すための指示情報を受信することを含むことを特徴とする請求項１０に記載の方法。
【請求項１２】
前記指示情報が無線リソース制御（ＲＲＣ）シグナリング又は反射型サービス品質であり、前記反射型サービス品質が前記第２ＤＲＢにおいて受信されたデータパケットの識別子（ＩＤ）によって決定されることを特徴とする請求項１１に記載の方法。
【請求項１３】
前記複数のデータパケットのうちの１番目のデータパケットのヘッダーには前記送信側装置が前記１番目のデータパケットを送信する前に第１ＤＲＢを介して前記第１サービス品質データフローにおけるデータパケットを送信することを示すための第１識別情報が含まれ、
前記受信側装置が前記複数のデータパケットをキャッシュする必要があることを決定することは、
前記第１識別情報に基づき、前記複数のデータパケットをキャッシュする必要があることを決定することを含むことを特徴とする請求項１０〜１２のいずれか１項に記載の方法。
【請求項１４】
前記受信側装置が前記複数のデータパケットを受信する前に、前記方法は、更に、
前記受信側装置が第２ＤＲＢを介して、第１識別パケットを受信し、前記第１識別パケットは、前記送信側装置が前記第１識別パケットを送信する前に第１ＤＲＢを介して前記第１サービス品質データフローにおけるデータパケットを送信することを示すことを含み、
前記受信側装置が前記複数のデータパケットをキャッシュする必要があることを決定することは、
前記第１識別パケットに基づき、前記複数のデータパケットをキャッシュする必要があることを決定することを含むことを特徴とする請求項１０〜１２のいずれか１項に記載の方法。
【請求項１５】
前記方法は、更に、
前記受信側装置が前記送信側装置の第１ＤＲＢを介して送信した前記第１サービス品質データフローにおける少なくとも１つのデータパケットを受信し、前記少なくとも１つのデータパケットのうちの最後のデータパケットのヘッダーには前記最後のデータパケットが前記送信側装置の前記第１ＤＲＢを介して送信した最後のデータパケットであることを示すための第２識別情報が含まれることと、
前記受信側装置が前記第２識別情報に基づき、前記第２ＤＲＢを介して受信した前記複数のデータパケット及び前記第１ＤＲＢを介して受信した前記少なくとも１つのデータパケットを伝送することと、を含むことを特徴とする請求項１０〜１４のいずれか１項に記載の方法。
【請求項１６】
前記方法は、更に、
前記受信側装置が前記送信側装置の第１ＤＲＢを介して送信した前記第１サービス品質データフローにおける少なくとも１つのデータパケットを受信することと、
前記受信側装置が前記送信側装置の第１ＤＲＢを介して送信した第２識別パケットを受信し、前記第２識別パケットは、前記第２識別パケットの前の一つのデータパケットが前記送信側装置の前記第１ＤＲＢを介して送信した最後のデータパケットであることを示すことと、
前記受信側装置が前記第２識別パケットに基づき、前記第２ＤＲＢを介して受信した前記複数のデータパケット及び前記第１ＤＲＢを介して受信した前記少なくとも１つのデータパケットを伝送することと、を含むことを特徴とする請求項１０〜１４のいずれか１項に記載の方法。
【請求項１７】
前記第１ＤＲＢにおいて伝送されたデータパケットのサービス品質クラス識別子（ＱＣＩ）が前記第２ＤＲＢにおいて伝送されたデータパケットのＱＣＩより優れることを特徴とする請求項１０〜１６のいずれか１項に記載の方法。
【請求項１８】
送信側装置であって、
第１サービス品質データフローに対応するデータ無線ベアラ（ＤＲＢ）を第１ＤＲＢから第２ＤＲＢへ切り替えるための処理ユニットと、
前記第２ＤＲＢを介して受信側装置へ前記第１サービス品質データフローにおける未送信のデータパケットを送信するための送信ユニットと、を備えることを特徴とする送信側装置。
【請求項１９】
前記処理ユニットが前記第１サービス品質データフローに対応するＤＲＢを前記第１ＤＲＢから前記第２ＤＲＢへ切り替える前に、前記送信側装置は、
前記第１サービス品質データフローに対応するＤＲＢを前記第１ＤＲＢから前記第２ＤＲＢへ切り替えることを示すための指示情報を受信するための受信ユニットを更に備えることを特徴とする請求項１８に記載の送信側装置。
【請求項２０】
前記指示情報が無線リソース制御（ＲＲＣ）シグナリング又は反射型サービス品質（ＲＱｏＳ）であり、前記ＲＱｏＳが前記第２ＤＲＢにおいて受信されたデータパケットの識別子（ＩＤ）によって決定されることを特徴とする請求項１９に記載の送信側装置。
【請求項２１】
前記処理ユニットが前記第１サービス品質データフローに対応するＤＲＢを前記第１ＤＲＢから前記第２ＤＲＢへ切り替える前に、前記送信ユニットは、更に、前記第１ＤＲＢを介して前記第１サービス品質データフローにおける少なくとも１つのデータパケットを送信することに用いられることを特徴とする請求項１８〜２０のいずれか１項に記載の送信側装置。
【請求項２２】
前記送信ユニットが前記第１ＤＲＢを介して前記第１サービス品質データフローにおける前記少なくとも１つのデータパケットを送信する前に、前記処理ユニットは、更に、前記少なくとも１つのデータパケットのうちの最後のデータパケットのヘッダーに、前記最後のデータパケットが前記送信側装置の前記第１ＤＲＢを介して送信した最後のデータパケットであることを示すための第１識別情報を追加することに用いられることを特徴とする請求項２１に記載の送信側装置。
【請求項２３】
前記送信ユニットは、更に、前記少なくとも１つのデータパケットを送信した後第１識別パケットを送信し、前記第１識別パケットが、前記第１識別パケットの前の一つのデータパケットが前記第１ＤＲＢに対応する最後のデータパケットであることを示す、ことに用いられることを特徴とする請求項２１に記載の送信側装置。
【請求項２４】
前記送信ユニットが前記第２ＤＲＢを介して前記受信側装置へ前記未送信のデータパケットを送信する前に、前記処理ユニットは、更に、前記未送信のデータパケットのうちの１番目のデータパケットのヘッダーに、前記送信側装置が前記１番目のデータパケットを送信する前に前記第１ＤＲＢを介して前記第１サービス品質データフローにおけるデータパケットを送信することを示すための第２識別情報を追加することに用いられることを特徴とする請求項１８〜２３のいずれか１項に記載の送信側装置。
【請求項２５】
前記送信ユニットが前記第２ＤＲＢを介して前記受信側装置へ前記未送信のデータパケットを送信する前に、前記送信ユニットは、更に、前記第２ＤＲＢを介して、第２識別パケットを前記受信側装置に送信し、前記第２識別パケットが、前記送信側装置が前記第２識別パケットを送信する前に前記第１ＤＲＢを介して前記第１サービス品質データフローにおけるデータパケットを送信することを示す、ことに用いられることを特徴とする請求項１８〜２３のいずれか１項に記載の送信側装置。
【請求項２６】
前記第２ＤＲＢにおいて伝送されたデータパケットのサービス品質クラス識別子（ＱＣＩ）が前記第１ＤＲＢにおいて伝送されたデータパケットのＱＣＩより優れることを特徴とする請求項１８〜２５のいずれか１項に記載の送信側装置。
【請求項２７】
受信側装置であって、
前記第１サービス品質データフローに対応するデータ無線ベアラ（ＤＲＢ）を第１ＤＲＢから第２ＤＲＢへ切り替えることを決定するための処理ユニットと、
送信側装置が第２ＤＲＢを介して送信した第１サービス品質データフローにおける複数のデータパケットを受信するための受信ユニットと、を備え、
前記処理ユニットは更に前記複数のデータパケットをキャッシュすることに用いられることを特徴とする受信側装置。
【請求項２８】
前記処理ユニットが前記第１サービス品質データフローに対応するＤＲＢを前記第１ＤＲＢから前記第２ＤＲＢへ切り替えることを決定する前に、前記受信ユニットは、更に、前記第１サービス品質データフローに対応するＤＲＢを前記第１ＤＲＢから前記第２ＤＲＢへ切り替えることを示すための指示情報を受信することに用いられることを特徴とする請求項２７に記載の受信側装置。
【請求項２９】
前記指示情報が無線リソース制御（ＲＲＣ）シグナリング又は反射型サービス品質であり、前記反射型サービス品質が前記第２ＤＲＢにおいて受信されたデータパケットの識別子（ＩＤ）によって決定されることを特徴とする請求項２８に記載の受信側装置。
【請求項３０】
前記複数のデータパケットのうちの１番目のデータパケットのヘッダーには前記送信側装置が前記１番目のデータパケットを送信する前に第１ＤＲＢを介して前記第１サービス品質データフローにおけるデータパケットを送信することを示すための第１識別情報が含まれ、
前記処理ユニットは、更に、前記第１識別情報に基づき、前記複数のデータパケットをキャッシュする必要があることを決定することに用いられることを特徴とする請求項２７〜２９のいずれか１項に記載の受信側装置。
【請求項３１】
前記受信ユニットが前記複数のデータパケットを受信する前に、前記受信ユニットは、更に、第２ＤＲＢを介して第１識別パケットを受信し、前記第１識別パケットが、前記送信側装置が前記第１識別パケットを送信する前に第１ＤＲＢを介して前記第１サービス品質データフローにおけるデータパケットを送信することを示す、ことに用いられ、
前記処理ユニットは、更に、前記第１識別パケットに基づき、前記複数のデータパケットをキャッシュする必要があることを決定することに用いられることを特徴とする請求項２７〜２９のいずれか１項に記載の受信側装置。
【請求項３２】
前記受信側装置は、
更に、前記送信側装置の第１ＤＲＢを介して送信した前記第１サービス品質データフローにおける少なくとも１つのデータパケットを受信することに用いられ、前記少なくとも１つのデータパケットのうちの最後のデータパケットのヘッダーには前記最後のデータパケットが前記送信側装置の前記第１ＤＲＢを介して送信した最後のデータパケットであることを示すための第２識別情報が含まれる前記受信ユニットと、
前記第２識別情報に基づき、前記第２ＤＲＢを介して受信した前記複数のデータパケット及び前記第１ＤＲＢを介して受信した前記少なくとも１つのデータパケットを伝送するための送信ユニットと、を更に備えることを特徴とする請求項２７〜３１のいずれか１項に記載の受信側装置。
【請求項３３】
前記受信側装置は、
更に、前記送信側装置の第１ＤＲＢを介して送信した前記第１サービス品質データフローにおける少なくとも１つのデータパケットを受信することに用いられる前記受信ユニットと、
更に、前記送信側装置の第１ＤＲＢを介して送信した第２識別パケットを受信し、前記第２識別パケットが、前記第２識別パケットの前の一つのデータパケットが前記送信側装置の前記第１ＤＲＢを介して送信した最後のデータパケットであることを示す、ことに用いられる前記受信ユニットと、
前記第２識別パケットに基づき、前記第２ＤＲＢを介して受信した前記複数のデータパケット及び前記第１ＤＲＢを介して受信した前記少なくとも１つのデータパケットを伝送するための送信ユニットと、を更に備えることを特徴とする請求項２７〜３１のいずれか１項に記載の受信側装置。
【請求項３４】
前記第１ＤＲＢにおいて伝送されたデータパケットのサービス品質クラス識別子（ＱＣＩ）が前記第２ＤＲＢにおいて伝送されたデータパケットのＱＣＩより優れることを特徴とする請求項２７〜３３のいずれか１項に記載の受信側装置。
【発明の詳細な説明】
【技術分野】
【０００１】
本願は通信分野に関し、より具体的に、データ伝送方法、送信側装置及び受信側装置に関する。
【背景技術】
【０００２】
新無線インターフェース規格（ＮＲ：Ｎｅｗ  Ｒａｄｉｏ  Ａｃｃｅｓｓ  Ｔｅｃｈｎｏｌｏｇｙ）システムにおいて、無線アクセスネットワークには、サービス品質データフロー（ＱｏＳｆｌｏｗ：Ｑｕａｌｉｔｙ  ｏｆ  Ｓｅｒｖｉｃｅ  ｆｌｏｗ）からデータ無線ベアラ（ＤＲＢ：Ｄａｔａ  Ｒａｄｉｏ  Ｂｅａｒｅｒ）へのマッピングを完了するためのサービスデータアダプテーションプロトコル（ＳＤＡＰ：Ｓｅｒｖｉｃｅ  Ｄａｔａ  Ａｄａｐｔａｔｉｏｎ  Ｐｒｏｔｏｃｏｌ）層を追加した。現段階では、無線アクセスネットワークが異なるＱｏＳｆｌｏｗにデフォルトベアラ（ｄｅｆａｕｌｔ  ＤＲＢ）を確立したが、ｄｅｆａｕｌｔ  ＤＲＢが異なるＱｏＳｆｌｏｗのデータ伝送への要求を満たすことができない。従って、どのようにＱｏＳｆｌｏｗのデータ伝送を向上させるかは早急な解決の待たれる問題である。
【発明の概要】
【発明が解決しようとする課題】
【０００３】
本願の実施例はデータ伝送方法、送信側装置及び受信側装置を提供し、１つのサービス品質データフローは伝送の時、その対応するデータ無線ベアラをソースデータ無線ベアラから目標データ無線ベアラへ切り替えることができ、且つ切り替えた後にこのサービス品質データフローのデータパケットの順序が狂うことなく、伝送も中断されず、更に、データの確実な伝送を確保する。
【課題を解決するための手段】
【０００４】
第１態様では、本願の実施例はデータ伝送方法を提供し、
送信側装置が第１サービス品質データフローに対応するデータ無線ベアラ（ＤＲＢ）を第１ＤＲＢから第２ＤＲＢへ切り替えることと、
該送信側装置が該第２ＤＲＢを介して受信側装置へ該第１サービス品質データフローにおける未送信のデータパケットを送信することと、を含む。
【０００５】
選択肢として、該送信側装置が端末装置であってもよく、ネットワーク機器であってもよい。
【０００６】
選択肢として、該送信側装置が端末装置である場合、該受信側装置がネットワーク機器であり、該送信側装置がネットワーク機器である場合、該受信側装置が端末装置である。
【０００７】
第２ＤＲＢが第１サービス品質データフローの伝送により適すると理解すべきである。
【０００８】
従って、本願の実施例のデータ伝送方法において、送信側装置は第１サービス品質データフローの伝送過程において、第１サービス品質データフローに対応するＤＲＢを第１ＤＲＢから第２ＤＲＢへ切り替えることができ、それにより第１サービス品質データフローの伝送過程における第１ＤＲＢから第２ＤＲＢへの切り替えを実現し、更に、第１サービス品質データフローの伝送効率を向上させる。
【０００９】
選択肢として、第１態様の実現方式では、該送信側装置が該第１サービス品質データフローに対応するＤＲＢを該第１ＤＲＢから該第２ＤＲＢへ切り替える前に、該方法は、更に、
該送信側装置が該第１サービス品質データフローに対応するＤＲＢを該第１ＤＲＢから該第２ＤＲＢへ切り替えることを示すための指示情報を受信することを含む。
【００１０】
選択肢として、この時、該送信側装置が端末装置であってもよい。
【００１１】
選択肢として、第１態様の実現方式では、該指示情報が無線リソース制御（ＲＲＣ）シグナリング又は反射型サービス品質（ＲＱｏＳ）であり、該ＲＱｏＳが該第２ＤＲＢにおいて受信されたデータパケットの識別子（ＩＤ）によって決定される。
【００１２】
選択肢として、第１態様の実現方式では、該送信側装置が該第１サービス品質データフローに対応するＤＲＢを該第１ＤＲＢから該第２ＤＲＢへ切り替える前に、該方法は、更に、
該送信側装置が該第１ＤＲＢを介して該第１サービス品質データフローにおける少なくとも１つのデータパケットを送信することを含む。
【００１３】
選択肢として、第１態様の実現方式では、該送信側装置が該第１ＤＲＢを介して該第１サービス品質データフローにおける該少なくとも１つのデータパケットを送信する前に、該方法は、更に、
該送信側装置が該少なくとも１つのデータパケットのうちの最後のデータパケットのヘッダーに、該最後のデータパケットが該送信側装置の該第１ＤＲＢを介して送信した最後のデータパケットであることを示すための第１識別情報を追加することを含む。
【００１４】
従って、本願の実施例のデータ伝送方法において、送信側装置は第１サービス品質データフローの伝送過程において、第１サービス品質データフローに対応するＤＲＢを第１ＤＲＢから第２ＤＲＢへ切り替えた後、第１識別情報で第１ＤＲＢを介して送信した最後のデータパケットを示してもよく、それにより第１サービス品質データフローは伝送過程において順序が狂わないように確保し、更に、データの確実な伝送を確保する。
【００１５】
選択肢として、第１態様の実現方式では、該方法は、更に、
該送信側装置が該少なくとも１つのデータパケットを送信した後、第１識別パケットを送信し、該第１識別パケットは該第１識別パケットの前の一つのデータパケットが該第１ＤＲＢに対応する最後のデータパケットであることを示すことを含む。
【００１６】
選択肢として、第１態様の実現方式では、該送信側装置が該第２ＤＲＢを介して該受信側装置へ該未送信のデータパケットを送信する前に、該方法は、更に、
該送信側装置が該未送信のデータパケットのうちの１番目のデータパケットのヘッダーに、該送信側装置が該１番目のデータパケットを送信する前に該第１ＤＲＢを介して該第１サービス品質データフローにおけるデータパケットを送信することを示すための第２識別情報を追加することを含む。
【００１７】
選択肢として、第１態様の実現方式では、該送信側装置が該第２ＤＲＢを介して該受信側装置へ該未送信のデータパケットを送信する前に、該方法は、更に、
該送信側装置が該第２ＤＲＢを介して、第２識別パケットを該受信側装置に送信し、該第２識別パケットは該送信側装置が該第２識別パケットを送信する前に該第１ＤＲＢを介して該第１サービス品質データフローにおけるデータパケットを送信することを示すことを含む。
【００１８】
選択肢として、第１態様の実現方式では、該第２ＤＲＢにおいて伝送されたデータパケットのサービス品質クラス識別子（ＱＣＩ）が該第１ＤＲＢにおいて伝送されたデータパケットのＱＣＩより優れる。
【００１９】
従って、本願の実施例のデータ伝送方法において、第２ＤＲＢにおいて伝送されたデータパケットのサービス品質クラス識別子（ＱＣＩ）が第１ＤＲＢにおいて伝送されたデータパケットのＱＣＩより優れており、それにより第１サービス品質データフローに対応するＤＲＢを第１ＤＲＢから第２ＤＲＢへ切り替えた後、データ伝送を更に効率的に行うことができる。
【００２０】
第２態様では、本願の実施例はデータ伝送方法を提供し、
受信側装置が該第１サービス品質データフローに対応するデータ無線ベアラ（ＤＲＢ）を第１ＤＲＢから第２ＤＲＢへ切り替えることを決定することと、
該受信側装置が送信側装置の第２ＤＲＢを介して送信した第１サービス品質データフローにおける複数のデータパケットを受信することと、
該受信側装置が該複数のデータパケットをキャッシュすることと、を含む。
【００２１】
従って、本願の実施例のデータ伝送方法において、受信側装置は第１サービス品質データフローの伝送過程において、第１サービス品質データフローに対応するＤＲＢを第１ＤＲＢから第２ＤＲＢへ切り替えることを決定して、送信側装置の第２ＤＲＢを介して送信した第１サービス品質データフローにおける複数のデータパケットを受信した後、これらのデータパケットをキャッシュすることができ、それにより第１サービス品質データフローは伝送過程において順序が狂わないように確保し、更に、データの確実な伝送を確保する。
【００２２】
選択肢として、第２態様の実現方式では、該受信側装置が該第１サービス品質データフローに対応するＤＲＢを該第１ＤＲＢから該第２ＤＲＢへ切り替えることを決定する前に、該方法は、更に、
該受信側装置が該第１サービス品質データフローに対応するＤＲＢを該第１ＤＲＢから該第２ＤＲＢへ切り替えることを示すための指示情報を受信することを含む。
【００２３】
選択肢として、この時、該受信側装置が端末装置であってもよい。
【００２４】
選択肢として、第２態様の実現方式では、該指示情報が無線リソース制御（ＲＲＣ）シグナリング又は反射型サービス品質であり、該反射型サービス品質が該第２ＤＲＢにおいて受信されたデータパケットの識別子（ＩＤ）によって決定される。
【００２５】
選択肢として、第２態様の実現方式では、該複数のデータパケットのうちの１番目のデータパケットのヘッダーには、該送信側装置が該１番目のデータパケットを送信する前に第１ＤＲＢを介して該第１サービス品質データフローにおけるデータパケットを送信することを示すための第１識別情報が含まれ、
該受信側装置が該複数のデータパケットをキャッシュする必要があることを決定することは、
該第１識別情報に基づき、該複数のデータパケットをキャッシュする必要があることを決定することを含む。
【００２６】
選択肢として、第２態様の実現方式では、該受信側装置が該複数のデータパケットを受信する前に、該方法は、更に、
該受信側装置が第２ＤＲＢを介して、第１識別パケットを受信し、該第１識別パケットは該送信側装置が該第１識別パケットを送信する前に第１ＤＲＢを介して該第１サービス品質データフローにおけるデータパケットを送信することを示すことを含み、
該受信側装置が該複数のデータパケットをキャッシュする必要があることを決定することは、
該第１識別パケットに基づき、該複数のデータパケットをキャッシュする必要があることを決定することを含む。
【００２７】
選択肢として、第２態様の実現方式では、該方法は、更に、
該受信側装置が該送信側装置の第１ＤＲＢを介して送信した該第１サービス品質データフローにおける少なくとも１つのデータパケットを受信し、該少なくとも１つのデータパケットのうちの最後のデータパケットのヘッダーには該最後のデータパケットが該送信側装置の該第１ＤＲＢを介して送信した最後のデータパケットであることを示すための第２識別情報が含まれることと、
該受信側装置が該第２識別情報に基づき、該第２ＤＲＢを介して受信した該複数のデータパケット及び該第１ＤＲＢを介して受信した該少なくとも１つのデータパケットを伝送することと、を含む。
【００２８】
従って、本願の実施例のデータ伝送方法において、受信側装置が第１サービス品質データフローに対応するＤＲＢを第１ＤＲＢから第２ＤＲＢへ切り替えることを決定した後、第２識別情報で第１ＤＲＢを介して送信した最後のデータパケットを示してもよく、それにより第１サービス品質データフローは伝送過程において順序が狂わないように確保し、更に、データの確実な伝送を確保する。
【００２９】
選択肢として、第２態様の実現方式では、該方法は、更に、
該受信側装置が該送信側装置の第１ＤＲＢを介して送信した該第１サービス品質データフローにおける少なくとも１つのデータパケットを受信することと、
該受信側装置が該送信側装置の第１ＤＲＢを介して送信した第２識別パケットを受信し、該第２識別パケットは該第２識別パケットの前の一つのデータパケットが該送信側装置の該第１ＤＲＢを介して送信した最後のデータパケットであることを示すことと、
該受信側装置が該第２識別パケットに基づき、該第２ＤＲＢを介して受信した該複数のデータパケット及び該第１ＤＲＢを介して受信した該少なくとも１つのデータパケットを伝送することと、を含む。
【００３０】
選択肢として、第２態様の実現方式では、該第１ＤＲＢにおいて伝送されたデータパケットのサービス品質クラス識別子（ＱＣＩ）が該第２ＤＲＢにおいて伝送されたデータパケットのＱＣＩより優れる。
【００３１】
従って、本願の実施例のデータ伝送方法において、第２ＤＲＢにおいて伝送されたデータパケットのサービス品質クラス識別子（ＱＣＩ）が第１ＤＲＢにおいて伝送されたデータパケットのＱＣＩより優れており、それにより第１サービス品質データフローに対応するＤＲＢを第１ＤＲＢから第２ＤＲＢへ切り替えた後、データ伝送をより効率的に行うことができる。
【００３２】
第３態様では、本願の実施例は送信側装置を提供し、第１態様又は第１態様のいずれか１つの選択可能な実現方式における方法を実行することができるモジュール又はユニット。
【００３３】
第４態様では、本願の実施例は受信側装置を提供し、第２態様又は第２態様のいずれか１つの選択可能な実現方式における方法を実行することができるモジュール又はユニット。
【００３４】
第５態様では、送信側装置を提供し、該送信側装置はプロセッサ、メモリ及び通信インターフェースを備える。プロセッサがメモリ及び通信インターフェースに接続される。メモリが命令を記憶することに用いられ、プロセッサが該命令を実行することに用いられ、通信インターフェースがプロセッサの制御下で他のネットワーク要素と通信することに用いられる。該プロセッサが該メモリに記憶される命令を実行するとき、該実行によって該プロセッサが第１態様又は第１態様のいずれか１つの可能な実現方式における方法を実行する。
【００３５】
第６態様では、受信側装置を提供し、該受信側装置はプロセッサ、メモリ及び通信インターフェースを備える。プロセッサがメモリ及び通信インターフェースに接続される。メモリが命令を記憶することに用いられ、プロセッサが該命令を実行することに用いられ、通信インターフェースがプロセッサの制御下で他のネットワーク要素と通信することに用いられる。該プロセッサが該メモリに記憶される命令を実行するとき、該実行によって該プロセッサが第２態様又は第２態様のいずれか１つの可能な実現方式における方法を実行する。
【００３６】
第７態様では、コンピュータ記憶媒体を提供し、該コンピュータ記憶媒体にプログラムコードが記憶され、該プログラムコードはコンピュータが上記第１態様又は第１態様のいずれか１つの可能な実現方式における方法を実行する命令を示すことに用いられる。
【００３７】
第８態様では、コンピュータ記憶媒体を提供し、該コンピュータ記憶媒体にプログラムコードが記憶され、該プログラムコードはコンピュータが上記第２態様又は第２態様のいずれか１つの可能な実現方式における方法を実行する命令を示すことに用いられる。
【００３８】
第９態様では、命令を含むコンピュータプログラム製品を提供し、コンピュータにおいて実行されるとき、コンピュータが上記各態様に記載の方法を実行する。
【図面の簡単な説明】
【００３９】
【図１】図１は本願の実施例に適用される無線通信システムを示す図である。
【図２】図２は本願の実施例に係るＱｏＳｆｌｏｗからＤＲＢへマッピングする模式図である。
【図３】図３は本願の実施例に係るデータ伝送方法の模式的なフローチャートである。
【図４】図４は本願の実施例に係る他のデータ伝送方法の模式的なフローチャートである。
【図５】図５は本願の実施例に係る送信側装置の模式的なブロック図である。
【図６】図６は本願の実施例に係る受信側装置の模式的なブロック図である。
【図７】図７は本願の実施例に係るデータ伝送装置の模式的なブロック図である。
【図８】図８は本願の実施例に係るシステムチップの構造模式図である。
【発明を実施するための形態】
【００４０】
以下、本願の実施例の図面を参照しながら、本願の実施例の技術案を明確且つ完全に説明する。
【００４１】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００４２】
図１には本願の実施例に適用される無線通信システム１００を示す。該無線通信システム１００はネットワーク機器１１０を備えてもよい。ネットワーク機器１１０は端末装置と通信する装置であってもよい。ネットワーク機器１１０は特定の地理的領域に通信カバレッジを提供することができ、且つ該カバレッジ領域内の端末装置（例えば、ＵＥ）と通信することができる。選択肢として、該ネットワーク機器１１０はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該ネットワーク機器は中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００４３】
該無線通信システム１００は更にネットワーク機器１１０のカバレッジ範囲内の少なくとも１つの端末装置１２０を備える。端末装置１２０は可動又は固定であってもよい。選択肢として、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００４４】
選択肢として、端末装置１２０同士が装置対装置（Ｄ２Ｄ：Ｄｅｖｉｃｅ  ｔｏ  Ｄｅｖｉｃｅ）通信を行うことができる。
【００４５】
選択肢として、５Ｇシステム又はネットワークが更に新無線（ＮＲ：Ｎｅｗ  Ｒａｄｉｏ）システム又はネットワークと称されてもよい。
【００４６】
図１には１つのネットワーク機器及び２つの端末装置を例示的に示し、選択肢として、該無線通信システム１００は複数のネットワーク機器を備えてもよく、且つ各ネットワーク機器のカバレッジ範囲内に他の数の端末装置が含まれてもよく、本願の実施例は制限しない。
【００４７】
選択肢として、該無線通信システム１００は更にネットワーク制御装置、モビリティ管理エンティティ等の他のネットワークエンティティを備えてもよく、本願の実施例は制限しない。
【００４８】
以下、図２を参照しながら本願の実施例のサービス品質データフロー（ＱｏＳｆｌｏｗ：Ｑｕａｌｉｔｙ  ｏｆ  Ｓｅｒｖｉｃｅ  ｆｌｏｗ）からデータ無線ベアラ（ＤＲＢ：Ｄａｔａ  Ｒａｄｉｏ  Ｂｅａｒｅｒ）へのマッピング過程を簡単に説明する。５Ｇシステムにおいて、無線アクセスネットワーク（ＲＡＮ：Ｒａｄｉｏ  Ａｃｃｅｓｓ  Ｎｅｔｗｏｒｋ）側はパケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）層の上位層に、ＱｏＳｆｌｏｗからＤＲＢへのマッピングを完了するためのＳＤＡＰ層を追加し、具体的に、図２に示すように、ネットワークプロトコル（ＩＰ：Ｉｎｔｅｒｎｅｔ  Ｐｒｏｔｏｃｏｌ）層はデータパケットをＩＰ  ｆｌｏｗからＱｏＳｆｌｏｗへマッピングし、更にＳＤＡＰによってデータパケットをＱｏＳｆｌｏｗから無線ベアラ、具体的にＤＲＢへマッピングし、異なるＱｏＳｆｌｏｗを同じＤＲＢにマッピングして、マッピングのためのＤＲＢを介してデータパケットをＰＤＣＰ層に送って処理することができる。アップリンクデータパケットにとって、ＱｏＳｆｌｏｗからＤＲＢへのマッピングを無線リソース制御（ＲＲＣ：Ｒａｄｉｏ  Ｒｅｓｏｕｒｃｅ  Ｃｏｎｔｒｏｌ）によって端末に直接指示することができる。更に反射型ＱｏＳマッピングによって取得してもよく、具体的に、ネットワーク機器は同じＱｏＳｆｌｏｗに属するダウンリンクデータパケットにはいずれも該ＱｏＳｆｌｏｗの識別子（ＩＤ）が含まれてもよく、端末装置は各ダウンリンクデータパケットを成功に取得した後、いずれも該ＱｏＳｆｌｏｗからＤＲＢへのマッピングを記録することができ、送信すべきアップリンクデータパケットがある場合、記録されたこのようなマッピング関係に基づいてアップリンクデータパケットを直接送信する。従来の解決手段における同じＱｏＳｆｌｏｗに属するダウンリンクデータパケットにはいずれも該ＱｏＳ  ｆｌｏｗの識別子が含まれるため、ネットワークオーバーヘッドがより大きい。
【００４９】
本明細書において、本明細書における用語「システム」と「ネットワーク」は常に交換可能に使用されると理解すべきである。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００５０】
図３は本願の実施例に係るデータ伝送方法２００の模式的なフローチャートである。図３に示すように、該方法２００が送信側装置により実行されてもよく、該送信側装置が図１に示されるネットワーク機器であってもよく、図１に示される端末装置であってもよく、該方法２００における受信側装置が図１に示されるネットワーク機器であってもよく、図１に示される端末装置であってもよく、該方法２００は以下を含む。
【００５１】
２１０、送信側装置が第１サービス品質データフローに対応するデータ無線ベアラ（ＤＲＢ）を第１ＤＲＢから第２ＤＲＢへ切り替える。
【００５２】
選択肢として、該送信側装置内のＳＤＡＰが第１サービス品質データフローに対応するデータ無線ベアラ（ＤＲＢ）を第１ＤＲＢから第２ＤＲＢへ切り替えてもよい。
【００５３】
選択肢として、該第２ＤＲＢにおいて伝送されたデータパケットのサービス品質クラス識別子（ＱＣＩ：ＱｏＳ  Ｃｌａｓｓ  Ｉｄｅｎｔｉｆｉｅｒ）が該第１ＤＲＢにおいて伝送されたデータパケットのＱＣＩより優れる。
【００５４】
データパケットのＱＣＩが高ければ高いほど、その伝送速度が大きくなると理解すべきである。
【００５５】
選択肢として、該第１ＤＲＢが無線アクセスネットワーク側に確立されたデフォルトデータ無線ベアラ（ｄｅｆａｕｌｔ  ＤＲＢ）であってもよく、異なるサービス品質データフローがいずれも該ｄｅｆａｕｌｔ  ＤＲＢにマッピングされる。
【００５６】
選択肢として、該第２ＤＲＢが該第１サービス品質データフローの伝送要求をより満たす。
【００５７】
選択肢として、該送信側装置がネットワーク機器である場合、ネットワーク機器が第１サービス品質データフローに対応するＤＲＢを第１ＤＲＢから第２ＤＲＢへ切り替えることを直接決定してもよい。
【００５８】
選択肢として、該送信側装置が端末装置である場合、該送信側装置が該第１サービス品質データフローに対応するＤＲＢを該第１ＤＲＢから該第２ＤＲＢへ切り替えることを示すための指示情報を受信し、それにより該送信側装置は該指示情報に基づき、第１サービス品質データフローに対応するＤＲＢを第１ＤＲＢから第２ＤＲＢへ切り替えることができる。
【００５９】
選択肢として、該指示情報が無線リソース制御（ＲＲＣ）シグナリング又は反射型サービス品質（ＲＱｏＳ：ｒｅｆｌｅｃｔｉｖｅ  ＱｏＳ）であり、該ＲＱｏＳが該第２ＤＲＢにおいて受信されたデータパケットの識別子（ＩＤ：Ｉｄｅｎｔｉｔｙ）によって決定される。
【００６０】
選択肢として、該送信側装置が該第１サービス品質データフローに対応するＤＲＢを該第１ＤＲＢから該第２ＤＲＢへ切り替える前に、該方法は、更に、
該送信側装置が該第１ＤＲＢを介して該第１サービス品質データフローにおける少なくとも１つのデータパケットを送信することを含む。
【００６１】
２２０、該送信側装置が該第２ＤＲＢを介して受信側装置へ該第１サービス品質データフローにおける未送信のデータパケットを送信する。
【００６２】
選択肢として、該送信側装置は以下の方式で、該第１ＤＲＢを介して伝送した該第１サービス品質データフローのデータパケットと該第２ＤＲＢを介して伝送した該第１サービス品質データフローのデータパケットとの順次提出（該第１サービス品質データフローの確実な伝送）を確保することができる。
【００６３】
方式１
該送信側装置が該第１ＤＲＢを介して該第１サービス品質データフローにおける該少なくとも１つのデータパケットを送信する前に、該送信側装置が該少なくとも１つのデータパケットのうちの最後のデータパケットのヘッダーに、該最後のデータパケットが該送信側装置の該第１ＤＲＢを介して送信した最後のデータパケットであることを示すための第１識別情報を追加する。
【００６４】
従って、受信側装置は該第１識別情報に基づいて該第１サービス品質データフローにおけるデータパケットの順序を決定することができ、更に、該第１サービス品質データフローの確実な伝送を確保する。
【００６５】
選択肢として、該第１識別情報がエンドマーカー（ｅｎｄ  ｍａｒｋｅｒ）であってもよい。
【００６６】
例えば、ＳＤＡＰ  ｈａｅｄｅｒに該第１識別情報を追加する。
【００６７】
方式２
該送信側装置は該少なくとも１つのデータパケットを送信した後、第１識別パケットを送信し、該第１識別パケットは該第１識別パケットの前の一つのデータパケットが該第１ＤＲＢに対応する最後のデータパケットであることを示す。
【００６８】
従って、受信側装置は該第１識別パケットに基づいて該第１サービス品質データフローにおけるデータパケットの順序を決定することができ、更に、該第１サービス品質データフローの確実な伝送を確保する。
【００６９】
選択肢として、該第１識別パケットは該送信側装置が該少なくとも１つのデータパケットを送信した後に生成した１つの新規データパケットであってもよい。
【００７０】
例えば、該第１識別パケットがペイロードなしのＳＤＡＰ  ＰＤＵ（ＳＤＡＰ  ＰＤＵ  ｗｉｔｈｏｕｔ  ｐａｙｌｏａｄ）であってもよく、ＳＤＡＰにおける制御ＰＤＵ（ＳＤＡＰ  ｃｏｎｔｒｏｌ  ＰＤＵ）であってもよい。
【００７１】
方式３
該送信側装置が該第２ＤＲＢを介して該受信側装置へ該未送信のデータパケットを送信する前に、該送信側装置は該未送信のデータパケットのうちの１番目のデータパケットのヘッダーに、該送信側装置が該１番目のデータパケットを送信する前に該第１ＤＲＢを介して該第１サービス品質データフローにおけるデータパケットを送信することを示すための第２識別情報を追加する。
【００７２】
従って、受信側装置は該第２識別情報に基づいて該第１サービス品質データフローにおけるデータパケットの順序を決定することができ、更に、該第１サービス品質データフローの確実な伝送を確保する。
【００７３】
選択肢として、該第２識別情報がスタートマーカー（ｓｔａｒｔ  ｍａｒｋｅｒ）であってもよい。
【００７４】
例えば、ＳＤＡＰ  ｈａｅｄｅｒに該第２識別情報を追加する。
【００７５】
方式４
該送信側装置が該第２ＤＲＢを介して該受信側装置へ該未送信のデータパケットを送信する前に、該送信側装置は該第２ＤＲＢを介して、第２識別パケットを該受信側装置に送信し、該第２識別パケットは該送信側装置が該第２識別パケットを送信する前に該第１ＤＲＢを介して該第１サービス品質データフローにおけるデータパケットを送信することを示す。
【００７６】
従って、受信側装置は該第２識別パケットに基づいて該第１サービス品質データフローにおけるデータパケットの順序を決定することができ、更に、該第１サービス品質データフローの確実な伝送を確保する。
【００７７】
選択肢として、該第２識別パケットは該送信側装置が該未送信のデータパケットを送信する前に生成した１つの新規データパケットであってもよい。
【００７８】
例えば、該第２識別パケットがペイロードなしのＳＤＡＰ  ＰＤＵ（ＳＤＡＰ  ＰＤＵ  ｗｉｔｈｏｕｔ  ｐａｙｌｏａｄ）であってもよく、ＳＤＡＰにおける制御ＰＤＵであってもよい。
【００７９】
選択肢として、該送信側装置は上記４つの方式のうちの少なくとも１つの方式で、該第１ＤＲＢを介して伝送した該第１サービス品質データフローのデータパケットと該第２ＤＲＢを介して伝送した該第１サービス品質データフローのデータパケットとの順次提出（該第１サービス品質データフローの確実な伝送）を確保することができる。
【００８０】
従って、本願の実施例のデータ伝送方法において、送信側装置は第１サービス品質データフローの伝送過程において、第１サービス品質データフローに対応するＤＲＢを第１ＤＲＢから第２ＤＲＢへ切り替えた後、第１識別情報で第１ＤＲＢを介して送信した最後のデータパケットを示してもよく、それにより第１サービス品質データフローは伝送過程において順序が狂わないように確保し、更に、データの確実な伝送を確保する。
【００８１】
更に、第２ＤＲＢにおいて伝送されたデータパケットのサービス品質クラス識別子（ＱＣＩ）が第１ＤＲＢにおいて伝送されたデータパケットのＱＣＩより優れており、それにより第１サービス品質データフローに対応するＤＲＢを第１ＤＲＢから第２ＤＲＢへ切り替えた後、データ伝送をより効率的に行うことができる。
【００８２】
図４は本願の実施例に係るデータ伝送方法３００の模式的なフローチャートである。図４に示すように、該方法３００が受信側装置により実行されてもよく、該受信側装置が図１に示されるネットワーク機器であってもよく、図１に示される端末装置であってもよく、該方法３００における送信側装置が図１に示されるネットワーク機器であってもよく、図１に示される端末装置であってもよく、該方法３００は以下を含む。
【００８３】
３１０、受信側装置が該第１サービス品質データフローに対応するデータ無線ベアラ（ＤＲＢ）を第１ＤＲＢから第２ＤＲＢへ切り替えることを決定する。
【００８４】
選択肢として、該第１ＤＲＢにおいて伝送されたデータパケットのサービス品質クラス識別子（ＱＣＩ）が該第２ＤＲＢにおいて伝送されたデータパケットのＱＣＩより優れる。
【００８５】
選択肢として、該受信側装置がネットワーク機器である場合、該受信側装置が該第１サービス品質データフローに対応するデータ無線ベアラ（ＤＲＢ）を第１ＤＲＢから第２ＤＲＢへ切り替えることを直接決定してもよい。
【００８６】
選択肢として、受信側装置が端末装置である場合、該受信側装置が該第１サービス品質データフローに対応するＤＲＢを該第１ＤＲＢから該第２ＤＲＢへ切り替えることを示すための指示情報を受信し、該受信側装置は該指示情報に基づいて該第１サービス品質データフローに対応するデータ無線ベアラ（ＤＲＢ）を第１ＤＲＢから第２ＤＲＢへ切り替えることを決定することができる。
【００８７】
選択肢として、該指示情報が無線リソース制御（ＲＲＣ）シグナリング又は反射型サービス品質であり、該反射型サービス品質が該第２ＤＲＢにおいて受信されたデータパケットの識別子（ＩＤ）によって決定される。
【００８８】
３２０、該受信側装置が送信側装置の第２ＤＲＢを介して送信した第１サービス品質データフローにおける複数のデータパケットを受信する。
【００８９】
３３０、該受信側装置が該複数のデータパケットをキャッシュする。
【００９０】
選択肢として、該受信側装置が該送信側装置の第１ＤＲＢを介して送信したデータパケットを先に受信した場合、該受信側装置がこの部分のデータパケットを直接提出する。
【００９１】
選択肢として、該受信側装置が該送信側装置の第２ＤＲＢを介して送信した該複数のデータパケットを先に受信した場合、該受信側装置が該複数のデータパケットをキャッシュする。
【００９２】
具体的に、以下の２つの方式で該複数のデータパケットをキャッシュするかどうかを決定することができる。
【００９３】
方式１
該複数のデータパケットのうちの１番目のデータパケットのヘッダーには、該送信側装置が該１番目のデータパケットを送信する前に第１ＤＲＢを介して該第１サービス品質データフローにおけるデータパケットを送信することを示すための第１識別情報が含まれ、この時、該受信側装置は該第１識別情報に基づき、該複数のデータパケットをキャッシュする必要があることを決定することができる。
【００９４】
選択肢として、該第１識別情報がスタートマーカー（ｓｔａｒｔ  ｍａｒｋｅｒ）であってもよい。
【００９５】
例えば、ＳＤＡＰ  ｈａｅｄｅｒに該第１識別情報を追加する。
【００９６】
方式２
該受信側装置が該複数のデータパケットを受信する前に、該受信側装置は第２ＤＲＢを介して、第１識別パケットを受信し、該第１識別パケットは該送信側装置が該第１識別パケットを送信する前に第１ＤＲＢを介して該第１サービス品質データフローにおけるデータパケットを送信することを示し、この時、該受信側装置は該第１識別パケットに基づき、該複数のデータパケットをキャッシュする必要があることを決定することができる。
【００９７】
選択肢として、該第１識別パケットは該送信側装置が該未送信のデータパケットを送信する前に生成した１つの新規データパケットであってもよい。
【００９８】
例えば、該第１識別パケットがペイロードなしのＳＤＡＰ  ＰＤＵ（ＳＤＡＰ  ＰＤＵ  ｗｉｔｈｏｕｔ  ｐａｙｌｏａｄ）であってもよく、ＳＤＡＰにおける制御ＰＤＵであってもよい。
【００９９】
選択肢として、該方法３００は、更に、
該受信側装置が該送信側装置の第１ＤＲＢを介して送信した該第１サービス品質データフローにおける少なくとも１つのデータパケットを受信し、該少なくとも１つのデータパケットのうちの最後のデータパケットのヘッダーには該最後のデータパケットが該送信側装置の該第１ＤＲＢを介して送信した最後のデータパケットであることを示すための第２識別情報が含まれることと、
該受信側装置が該第２識別情報に基づき、該第２ＤＲＢを介して受信した該複数のデータパケット及び該第１ＤＲＢを介して受信した該少なくとも１つのデータパケットを伝送することと、を含む。
【０１００】
選択肢として、該第２識別情報がエンドマーカー（ｅｎｄ  ｍａｒｋｅｒ）であってもよい。
【０１０１】
例えば、ＳＤＡＰ  ｈａｅｄｅｒに該第２識別情報を追加する。
【０１０２】
選択肢として、該方法３００は、更に、
該受信側装置が該送信側装置の第１ＤＲＢを介して送信した該第１サービス品質データフローにおける少なくとも１つのデータパケットを受信することと、
該受信側装置が該送信側装置の第１ＤＲＢを介して送信した第２識別パケットを受信し、該第２識別パケットは該第２識別パケットの前の一つのデータパケットが該送信側装置の該第１ＤＲＢを介して送信した最後のデータパケットであることを示すことと、
該受信側装置が該第２識別パケットに基づき、該第２ＤＲＢを介して受信した該複数のデータパケット及び該第１ＤＲＢを介して受信した該少なくとも１つのデータパケットを伝送することと、を含む。
【０１０３】
選択肢として、該第２識別パケットは該送信側装置が該少なくとも１つのデータパケットを送信した後に生成した１つの新規データパケットであってもよい。
【０１０４】
例えば、該第２識別パケットがペイロードなしのＳＤＡＰ  ＰＤＵ（ＳＤＡＰ  ＰＤＵ  ｗｉｔｈｏｕｔ  ｐａｙｌｏａｄ）であってもよく、ＳＤＡＰにおける制御ＰＤＵであってもよい。
【０１０５】
データ伝送方法３００におけるステップはデータ伝送方法２００における対応ステップについての説明を参照してもよく、簡潔のため、ここで詳細な説明は省略すると理解すべきである。
【０１０６】
従って、本願の実施例のデータ伝送方法において、受信側装置は第１サービス品質データフローの伝送過程において、第１サービス品質データフローに対応するＤＲＢを第１ＤＲＢから第２ＤＲＢへ切り替えることを決定して、送信側装置の第２ＤＲＢを介して送信した第１サービス品質データフローにおける複数のデータパケットを受信した後、これらのデータパケットをキャッシュすることができ、それにより第１サービス品質データフローは伝送過程において順序が狂わないように確保し、更に、データの確実な伝送を確保する。
【０１０７】
更に、受信側装置が第１サービス品質データフローに対応するＤＲＢを第１ＤＲＢから第２ＤＲＢへ切り替えることを決定した後、第２識別情報で第１ＤＲＢを介して送信した最後のデータパケットを示してもよく、それにより第１サービス品質データフローは伝送過程において順序が狂わないように確保し、更に、データの確実な伝送を確保する。
【０１０８】
更に、第２ＤＲＢにおいて伝送されたデータパケットのサービス品質クラス識別子（ＱＣＩ）が第１ＤＲＢにおいて伝送されたデータパケットのＱＣＩより優れており、それにより第１サービス品質データフローに対応するＤＲＢを第１ＤＲＢから第２ＤＲＢへ切り替えた後、データ伝送をより効率的に行うことができる。
【０１０９】
図５は本願の実施例に係る送信側装置４００の模式的なブロック図である。図５に示すように、該送信側装置４００は、
第１サービス品質データフローに対応するデータ無線ベアラ（ＤＲＢ）を第１ＤＲＢから第２ＤＲＢへ切り替えるための処理ユニット４１０と、
該第２ＤＲＢを介して受信側装置へ該第１サービス品質データフローにおける未送信のデータパケットを送信するための送信ユニット４２０と、を備える。
【０１１０】
選択肢として、該処理ユニット４１０が該第１サービス品質データフローに対応するＤＲＢを該第１ＤＲＢから該第２ＤＲＢへ切り替える前に、該送信側装置４００は、
該第１サービス品質データフローに対応するＤＲＢを該第１ＤＲＢから該第２ＤＲＢへ切り替えることを示すための指示情報を受信するための受信ユニット４３０を更に備える。
【０１１１】
選択肢として、該指示情報が無線リソース制御（ＲＲＣ）シグナリング又は反射型サービス品質（ＲＱｏＳ）であり、該ＲＱｏＳが該第２ＤＲＢにおいて受信されたデータパケットの識別子（ＩＤ）によって決定される。
【０１１２】
選択肢として、該処理ユニット４１０が該第１サービス品質データフローに対応するＤＲＢを該第１ＤＲＢから該第２ＤＲＢへ切り替える前に、該送信ユニット４２０は、更に、該第１ＤＲＢを介して該第１サービス品質データフローにおける少なくとも１つのデータパケットを送信することに用いられる。
【０１１３】
選択肢として、該送信ユニット４２０が該第１ＤＲＢを介して該第１サービス品質データフローにおける該少なくとも１つのデータパケットを送信する前に、該処理ユニット４１０は、更に、該少なくとも１つのデータパケットのうちの最後のデータパケットのヘッダーに、該最後のデータパケットが該送信側装置の該第１ＤＲＢを介して送信した最後のデータパケットであることを示すための第１識別情報を追加することに用いられる。
【０１１４】
選択肢として、該送信ユニット４２０は、更に、該少なくとも１つのデータパケットを送信した後、第１識別パケットを送信し、該第１識別パケットが、該第１識別パケットの前の一つのデータパケットが該第１ＤＲＢに対応する最後のデータパケットであることを示す、ことに用いられる。
【０１１５】
選択肢として、該送信ユニット４２０が該第２ＤＲＢを介して該受信側装置へ該未送信のデータパケットを送信する前に、該処理ユニット４１０は、更に、該未送信のデータパケットのうちの１番目のデータパケットのヘッダーに、該送信側装置が該１番目のデータパケットを送信する前に該第１ＤＲＢを介して該第１サービス品質データフローにおけるデータパケットを送信することを示すための第２識別情報を追加することに用いられる。
【０１１６】
選択肢として、該送信ユニット４２０が該第２ＤＲＢを介して該受信側装置へ該未送信のデータパケットを送信する前に、該送信ユニット４２０は、更に、該第２ＤＲＢを介して、第２識別パケットを該受信側装置に送信し、該第２識別パケットが、該送信側装置が該第２識別パケットを送信する前に該第１ＤＲＢを介して該第１サービス品質データフローにおけるデータパケットを送信することを示す、ことに用いられる。
【０１１７】
選択肢として、該第２ＤＲＢにおいて伝送されたデータパケットのサービス品質クラス識別子（ＱＣＩ）が該第１ＤＲＢにおいて伝送されたデータパケットのＱＣＩより優れる。
【０１１８】
本願の実施例に係る送信側装置４００は本願の方法実施例における送信側装置に対応してもよく、且つ送信側装置４００における各ユニットの上記及び他の操作及び／又は機能はそれぞれ図３に示される方法２００における送信側装置の対応プロセスを実現するためのものであり、簡潔のため、ここで詳細な説明は省略すると理解すべきである。
【０１１９】
図６は本願の実施例に係る受信側装置５００の模式的なブロック図である。図６に示すように、該受信側装置５００は、
該第１サービス品質データフローに対応するデータ無線ベアラ（ＤＲＢ）を第１ＤＲＢから第２ＤＲＢへ切り替えることを決定するための処理ユニット５１０と、
送信側装置の第２ＤＲＢを介して送信した第１サービス品質データフローにおける複数のデータパケットを受信するための受信ユニット５２０と、を備え、
該処理ユニット５１０は更に該複数のデータパケットをキャッシュすることに用いられる。
【０１２０】
選択肢として、該処理ユニット５１０が該第１サービス品質データフローに対応するＤＲＢを該第１ＤＲＢから該第２ＤＲＢへ切り替えることを決定する前に、該受信ユニット５２０は、更に、該第１サービス品質データフローに対応するＤＲＢを該第１ＤＲＢから該第２ＤＲＢへ切り替えることを示すための指示情報を受信することに用いられる。
【０１２１】
選択肢として、該指示情報が無線リソース制御（ＲＲＣ）シグナリング又は反射型サービス品質であり、該反射型サービス品質が該第２ＤＲＢにおいて受信されたデータパケットの識別子（ＩＤ）によって決定される。
【０１２２】
選択肢として、該複数のデータパケットのうちの１番目のデータパケットのヘッダーには、該送信側装置が該１番目のデータパケットを送信する前に第１ＤＲＢを介して該第１サービス品質データフローにおけるデータパケットを送信することを示すための第１識別情報が含まれ、
該処理ユニット５１０は、更に、該第１識別情報に基づき、該複数のデータパケットをキャッシュする必要があることを決定することに用いられる。
【０１２３】
選択肢として、該受信ユニット５２０が該複数のデータパケットを受信する前に、該受信ユニット５２０は、更に、第２ＤＲＢを介して、第１識別パケットを受信し、該第１識別パケットが、該送信側装置が該第１識別パケットを送信する前に第１ＤＲＢを介して該第１サービス品質データフローにおけるデータパケットを送信することを示す、ことに用いられ、
該処理ユニット５１０は、更に、該第１識別パケットに基づき、該複数のデータパケットをキャッシュする必要があることを決定することに用いられる。
【０１２４】
選択肢として、該受信側装置５００は、
更に、該送信側装置の第１ＤＲＢを介して送信した該第１サービス品質データフローにおける少なくとも１つのデータパケットを受信することに用いられ、該少なくとも１つのデータパケットのうちの最後のデータパケットのヘッダーには、該最後のデータパケットが該送信側装置の該第１ＤＲＢを介して送信した最後のデータパケットであることを示すための第２識別情報が含まれる該受信ユニット５２０と、
該第２識別情報に基づき、該第２ＤＲＢを介して受信した該複数のデータパケット及び該第１ＤＲＢを介して受信した該少なくとも１つのデータパケットを伝送するための送信ユニット５３０と、を更に備える。
【０１２５】
選択肢として、該受信側装置５００は、
更に、該送信側装置の第１ＤＲＢを介して送信した該第１サービス品質データフローにおける少なくとも１つのデータパケットを受信することに用いられる該受信ユニット５２０と、
更に、該送信側装置の第１ＤＲＢを介して送信した第２識別パケットを受信し、該第２識別パケットが、該第２識別パケットの前の一つのデータパケットが該送信側装置の該第１ＤＲＢを介して送信した最後のデータパケットであることを示す、ことに用いられる該受信ユニット５２０と、
該第２識別パケットに基づき、該第２ＤＲＢを介して受信した該複数のデータパケット及び該第１ＤＲＢを介して受信した該少なくとも１つのデータパケットを伝送するための送信ユニット５３０と、を更に備える。
【０１２６】
選択肢として、該第１ＤＲＢにおいて伝送されたデータパケットのサービス品質クラス識別子（ＱＣＩ）が該第２ＤＲＢにおいて伝送されたデータパケットのＱＣＩより優れる。
【０１２７】
本願の実施例に係る受信側装置５００は本願の方法実施例における端末装置に対応してもよく、且つ受信側装置５００における各ユニットの上記及び他の操作及び／又は機能はそれぞれ図４に示される方法３００における受信側装置の対応プロセスを実現するためのものであり、簡潔のため、ここで詳細な説明は省略すると理解すべきである。
【０１２８】
図７は本願の実施例に係るデータ伝送装置６００の模式的なブロック図であり、該装置６００は、
コードを含むプログラムを記憶するためのメモリ６１０と、
他の装置と通信するための送受信機６２０と、
メモリ６１０におけるプログラムコードを実行するためのプロセッサ６３０と、を備える。
【０１２９】
選択肢として、該コードが実行されるとき、該プロセッサ６３０は図３における方法２００における送信側装置の実行する各操作を実現することができ、簡潔のため、ここで詳細な説明は省略する。この時、該装置６００がネットワーク機器（例えば、アクセスネットワーク機器又はコアネットワーク機器）であってもよく、端末装置（例えば、携帯電話）であってもよい。送受信機６２０がプロセッサ６３０の駆動下で具体的な信号送受信を実行することに用いられる。
【０１３０】
選択肢として、該コードが実行されるとき、該プロセッサ６３０は更に図４における方法３００における受信側装置の実行する各操作を実現することができ、簡潔のため、ここで詳細な説明は省略する。この時、該装置６００が端末装置（例えば、携帯電話）であってもよく、ネットワーク機器（例えば、アクセスネットワーク機器又はコアネットワーク機器）であってもよい。
【０１３１】
本願の実施例において、該プロセッサ６３０は中央処理装置（ＣＰＵ：Ｃｅｎｔｒａｌ  Ｐｒｏｃｅｓｓｉｎｇ  Ｕｎｉｔ）であってもよく、更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１３２】
該メモリ６１０は読み出し専用メモリ及びランダムアクセスメモリを含んでもよく、且つプロセッサ６３０に命令及びデータを提供する。メモリ６１０の一部は更に不揮発性ランダムアクセスメモリを含んでもよい。例えば、メモリ６１０に更に装置タイプの情報が記憶されてもよい。
【０１３３】
送受信機６２０は信号送受信機能、例えばアップコンバータ及びダウンコンバータ機能とも称される周波数変調及び復調機能を実現することに用いられてもよい。
【０１３４】
実現過程において、上記方法の少なくとも１つのステップはプロセッサ６３０におけるハードウェアの集積論理回路で完了してもよく、又は該集積論理回路がソフトウェア形式の命令の駆動下で該少なくとも１つのステップを完了してもよい。従って、データ伝送装置６００がチップ又はチップセットであってもよい。本願の実施例に開示される方法のステップはハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリに位置し、プロセッサ６３０がメモリにおける情報を読み取り、そのハードウェアと組み合わせて上記方法のステップを完了する。重複を避けるため、ここで詳細な説明は省略する。
【０１３５】
図８は本願の実施例に係るシステムチップ７００の構造模式図である。図８におけるシステムチップ７００は入力インターフェース７０１、出力インターフェース７０２、プロセッサ７０３及びメモリ７０４を備え、それらが内部通信接続経路によって接続されてもよく、該プロセッサ７０３が該メモリ７０４におけるコードを実行することに用いられる。
【０１３６】
選択肢として、該コードが実行されるとき、該プロセッサ７０３が方法実施例における送信側装置の実行する方法を実現する。簡潔のため、ここで詳細な説明は省略する。
【０１３７】
選択肢として、該コードが実行されるとき、該プロセッサ７０３が方法実施例における受信側装置の実行する方法を実現する。簡潔のため、ここで詳細な説明は省略する。
【０１３８】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェアそれともソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１３９】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１４０】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１４１】
分離部材として説明される前記ユニットは物理的に分離してもよく、物理的に分離しなくてもよく、ユニットとして表示される部材は物理ユニットであってもよく、物理ユニットでなくてもよく、つまり、一箇所に位置してもよく、複数のネットワークユニットに分布されてもよい。実際の必要に応じて、その一部又は全部のユニットを選択して本実施例案の目的を実現してもよい。
【０１４２】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１４３】
前記機能はソフトウェア機能ユニットの形式で実現され、独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４４】
以上の説明は本願の具体的な実施形態に過ぎず、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020533820.tif 000003
【図２】
2020533820.tif 000004
【図３】
2020533820.tif 000005
【図４】
2020533820.tif 000006
【図５】
2020533820.tif 000007
【図６】
2020533820.tif 000008
【図７】
2020533820.tif 000009
【図８】
2020533820.tif 000010
【手続補正書】
【提出日】令和2年7月16日(2020.7.16)
【手続補正１】
【補正対象書類名】明細書
【補正対象項目名】００３０
【補正方法】変更
【補正の内容】
【００３０】
選択肢として、第２態様の実現方式では、該第２ＤＲＢにおいて伝送されたデータパケットのサービス品質クラス識別子（ＱＣＩ）が該第１ＤＲＢにおいて伝送されたデータパケットのＱＣＩより優れる。
【手続補正２】
【補正対象書類名】明細書
【補正対象項目名】００８４
【補正方法】変更
【補正の内容】
【００８４】
選択肢として、該第２ＤＲＢにおいて伝送されたデータパケットのサービス品質クラス識別子（ＱＣＩ）が該第１ＤＲＢにおいて伝送されたデータパケットのＱＣＩより優れる。
【手続補正３】
【補正対象書類名】明細書
【補正対象項目名】００９７
【補正方法】変更
【補正の内容】
【００９７】
選択肢として、該第１識別パケットは該送信側装置が該複数のデータパケットを送信する前に生成した１つの新規データパケットであってもよい。
【手続補正４】
【補正対象書類名】明細書
【補正対象項目名】０１２４
【補正方法】変更
【補正の内容】
【０１２４】
選択肢として、
該受信ユニット５２０は更に、該送信側装置の第１ＤＲＢを介して送信した該第１サービス品質データフローにおける少なくとも１つのデータパケットを受信することに用いられ、該少なくとも１つのデータパケットのうちの最後のデータパケットのヘッダーには、該最後のデータパケットが該送信側装置の該第１ＤＲＢを介して送信した最後のデータパケットであることを示すための第２識別情報が含まれ、
該受信側装置５００は、該第２識別情報に基づき、該第２ＤＲＢを介して受信した該複数のデータパケット及び該第１ＤＲＢを介して受信した該少なくとも１つのデータパケットを伝送するための送信ユニット５３０、を更に備える。
【手続補正５】
【補正対象書類名】明細書
【補正対象項目名】０１２５
【補正方法】変更
【補正の内容】
【０１２５】
選択肢として、
該受信ユニット５２０は更に、該送信側装置の第１ＤＲＢを介して送信した該第１サービス品質データフローにおける少なくとも１つのデータパケットを受信することに用いられ、
該受信ユニット５２０は更に、該送信側装置の第１ＤＲＢを介して送信した第２識別パケットを受信し、該第２識別パケットが、該第２識別パケットの前の一つのデータパケットが該送信側装置の該第１ＤＲＢを介して送信した最後のデータパケットであることを示す、ことに用いられ、
該受信側装置５００は、該第２識別パケットに基づき、該第２ＤＲＢを介して受信した該複数のデータパケット及び該第１ＤＲＢを介して受信した該少なくとも１つのデータパケットを伝送するための送信ユニット５３０、を更に備える。
【手続補正６】
【補正対象書類名】明細書
【補正対象項目名】０１２６
【補正方法】変更
【補正の内容】
【０１２６】
選択肢として、該第２ＤＲＢにおいて伝送されたデータパケットのサービス品質クラス識別子（ＱＣＩ）が該第１ＤＲＢにおいて伝送されたデータパケットのＱＣＩより優れる。
【手続補正７】
【補正対象書類名】特許請求の範囲
【補正対象項目名】全文
【補正方法】変更
【補正の内容】
【特許請求の範囲】
【請求項１】
データ伝送方法であって、
送信側装置が第１サービス品質データフローに対応するデータ無線ベアラ（ＤＲＢ）を第１ＤＲＢから第２ＤＲＢへ切り替えることと、
前記送信側装置が前記第２ＤＲＢを介して受信側装置へ前記第１サービス品質データフローにおける未送信のデータパケットを送信することと、を含むことを特徴とするデータ伝送方法。
【請求項２】
前記送信側装置が前記第１サービス品質データフローに対応するＤＲＢを前記第１ＤＲＢから前記第２ＤＲＢへ切り替える前に、前記方法は、更に、
前記送信側装置が前記第１サービス品質データフローに対応するＤＲＢを前記第１ＤＲＢから前記第２ＤＲＢへ切り替えることを示すための指示情報を受信することを含むことを特徴とする請求項１に記載の方法。
【請求項３】
前記指示情報が無線リソース制御（ＲＲＣ）シグナリング又は反射型サービス品質（ＲＱｏＳ）であり、前記ＲＱｏＳが前記第２ＤＲＢにおいて受信されたデータパケットの識別子（ＩＤ）によって決定されることを特徴とする請求項２に記載の方法。
【請求項４】
前記送信側装置が前記第１サービス品質データフローに対応するＤＲＢを前記第１ＤＲＢから前記第２ＤＲＢへ切り替える前に、前記方法は、更に、
前記送信側装置が前記第１ＤＲＢを介して前記第１サービス品質データフローにおける少なくとも１つのデータパケットを送信することを含むことを特徴とする請求項１〜３のいずれか１項に記載の方法。
【請求項５】
前記方法は、更に、
前記送信側装置が前記少なくとも１つのデータパケットを送信した後、第１識別パケットを送信し、前記第１識別パケットは前記第１識別パケットの前の一つのデータパケットが前記第１ＤＲＢに対応する最後のデータパケットであることを示すことを含むことを特徴とする請求項４に記載の方法。
【請求項６】
前記第１識別パケットはサービスデータアダプテーションプロトコル（ＳＤＡＰ）における制御プロトコルデータユニット（ＰＤＵ）であることを特徴とする請求項５に記載の方法。
【請求項７】
データ伝送方法であって、
受信側装置が第１サービス品質データフローに対応するデータ無線ベアラ（ＤＲＢ）を第１ＤＲＢから第２ＤＲＢへ切り替えることを決定することと、
前記受信側装置が送信側装置の第２ＤＲＢを介して送信した第１サービス品質データフローにおける複数のデータパケットを受信することと、
を含むことを特徴とするデータ伝送方法。
【請求項８】
前記受信側装置が前記第１サービス品質データフローに対応するＤＲＢを前記第１ＤＲＢから前記第２ＤＲＢへ切り替えることを決定する前に、前記方法は、更に、
前記受信側装置が前記第１サービス品質データフローに対応するＤＲＢを前記第１ＤＲＢから前記第２ＤＲＢへ切り替えることを示すための指示情報を受信することを含むことを特徴とする請求項７に記載の方法。
【請求項９】
前記指示情報が無線リソース制御（ＲＲＣ）シグナリング又は反射型サービス品質であり、前記反射型サービス品質が前記第２ＤＲＢにおいて受信されたデータパケットの識別子（ＩＤ）によって決定されることを特徴とする請求項８に記載の方法。
【請求項１０】
サービスデータアダプテーションプロトコル（ＳＤＡＰ）における制御プロトコルデータユニット（ＰＤＵ）には、前記送信側装置が前記１番目のデータパケットを送信する前に第１ＤＲＢを介して前記第１サービス品質データフローにおけるデータパケットを送信することを示すための第１識別情報が含まれ、
前記受信側装置が前記複数のデータパケットをキャッシュする必要があることを決定することは、
前記第１識別情報に基づき、前記複数のデータパケットをキャッシュする必要があることを決定することと、
前記受信側装置が前記複数のデータパケットをキャッシュすることと、を含むことを特徴とする請求項７〜９のいずれか１項に記載の方法。
【請求項１１】
前記方法は、更に、
前記受信側装置が前記送信側装置の第１ＤＲＢを介して送信した前記第１サービス品質データフローにおける少なくとも１つのデータパケットを受信し、前記少なくとも１つのデータパケットのうちの最後のデータパケットのヘッダーには前記最後のデータパケットが前記送信側装置の前記第１ＤＲＢを介して送信した最後のデータパケットであることを示すための第２識別情報が含まれることと、
前記受信側装置が前記第２識別情報に基づき、前記第２ＤＲＢを介して受信した前記複数のデータパケット及び前記第１ＤＲＢを介して受信した前記少なくとも１つのデータパケットを伝送することと、を含むことを特徴とする請求項７〜１０のいずれか１項に記載の方法。
【請求項１２】
送信側装置であって、
第１サービス品質データフローに対応するデータ無線ベアラ（ＤＲＢ）を第１ＤＲＢから第２ＤＲＢへ切り替えるための処理ユニットと、
前記第２ＤＲＢを介して受信側装置へ前記第１サービス品質データフローにおける未送信のデータパケットを送信するための送信ユニットと、を備えることを特徴とする送信側装置。
【請求項１３】
前記処理ユニットが前記第１サービス品質データフローに対応するＤＲＢを前記第１ＤＲＢから前記第２ＤＲＢへ切り替える前に、前記送信側装置は、
前記第１サービス品質データフローに対応するＤＲＢを前記第１ＤＲＢから前記第２ＤＲＢへ切り替えることを示すための指示情報を受信するための受信ユニットを更に備えることを特徴とする請求項１２に記載の送信側装置。
【請求項１４】
前記指示情報が無線リソース制御（ＲＲＣ）シグナリング又は反射型サービス品質（ＲＱｏＳ）であり、前記ＲＱｏＳが前記第２ＤＲＢにおいて受信されたデータパケットの識別子（ＩＤ）によって決定されることを特徴とする請求項１３に記載の送信側装置。
【請求項１５】
前記処理ユニットが前記第１サービス品質データフローに対応するＤＲＢを前記第１ＤＲＢから前記第２ＤＲＢへ切り替える前に、前記送信ユニットは、更に、前記第１ＤＲＢを介して前記第１サービス品質データフローにおける少なくとも１つのデータパケットを送信することに用いられることを特徴とする請求項１２〜１４のいずれか１項に記載の送信側装置。
【請求項１６】
前記送信ユニットは、更に、前記少なくとも１つのデータパケットを送信した後第１識別パケットを送信し、前記第１識別パケットが、前記第１識別パケットの前の一つのデータパケットが前記第１ＤＲＢに対応する最後のデータパケットであることを示す、ことに用いられることを特徴とする請求項１５に記載の送信側装置。
【請求項１７】
前記第１識別パケットはサービスデータアダプテーションプロトコル（ＳＤＡＰ）における制御プロトコルデータユニット（ＰＤＵ）であることを特徴とする請求項１６に記載の送信側装置。
【請求項１８】
受信側装置であって、
第１サービス品質データフローに対応するデータ無線ベアラ（ＤＲＢ）を第１ＤＲＢから第２ＤＲＢへ切り替えることを決定するための処理ユニットと、
送信側装置が第２ＤＲＢを介して送信した第１サービス品質データフローにおける複数のデータパケットを受信するための受信ユニットと、を備えることを特徴とする受信側装置。
【請求項１９】
前記処理ユニットが前記第１サービス品質データフローに対応するＤＲＢを前記第１ＤＲＢから前記第２ＤＲＢへ切り替えることを決定する前に、前記受信ユニットは、更に、前記第１サービス品質データフローに対応するＤＲＢを前記第１ＤＲＢから前記第２ＤＲＢへ切り替えることを示すための指示情報を受信することに用いられることを特徴とする請求項１８に記載の受信側装置。
【請求項２０】
前記指示情報が無線リソース制御（ＲＲＣ）シグナリング又は反射型サービス品質であり、前記反射型サービス品質が前記第２ＤＲＢにおいて受信されたデータパケットの識別子（ＩＤ）によって決定されることを特徴とする請求項１９に記載の受信側装置。
【請求項２１】
サービスデータアダプテーションプロトコル（ＳＤＡＰ）における制御プロトコルデータユニット（ＰＤＵ）には、前記送信側装置が前記１番目のデータパケットを送信する前に第１ＤＲＢを介して前記第１サービス品質データフローにおけるデータパケットを送信することを示すための第１識別情報が含まれ、
前記処理ユニットは、更に、前記第１識別情報に基づき、前記複数のデータパケットをキャッシュする必要があることを決定することと、前記複数のデータパケットをキャッシュすることと、に用いられることを特徴とする請求項１８〜２０のいずれか１項に記載の受信側装置。
【請求項２２】
前記受信ユニットは更に、前記送信側装置の第１ＤＲＢを介して送信した前記第１サービス品質データフローにおける少なくとも１つのデータパケットを受信することに用いられ、前記少なくとも１つのデータパケットのうちの最後のデータパケットのヘッダーには前記最後のデータパケットが前記送信側装置の前記第１ＤＲＢを介して送信した最後のデータパケットであることを示すための第２識別情報が含まれ、
前記受信側装置は、前記第２識別情報に基づき、前記第２ＤＲＢを介して受信した前記複数のデータパケット及び前記第１ＤＲＢを介して受信した前記少なくとも１つのデータパケットを伝送するための送信ユニット、を更に備えることを特徴とする請求項１８〜２１のいずれか１項に記載の受信側装置。
【国際調査報告】
2020533820.tif 000011
2020533820.tif 000012
2020533820.tif 000013
2020533820.tif 000014